(57)【特許請求の範囲】
【請求項１】
少なくとも左右各側面壁と背面壁とを有する矩形箱状に構成されている形状のゴミ収容箱に取付られる鳥獣被害対策ネットユニットであり、両側面壁の上端部内側と前端部内側を走るように適宜数量の走行自在のランナーを有するガイドレールをそれぞれ設け、前記ゴミ収容箱上面と前面の面積に相当する大きさの繊維網の両端に前記ランナーと前記繊維網を結合させるためのハト目を等間隔で適宜数量設け、該ゴミ収容箱上面と前面を被覆するように該繊維網を設置したとき、前記ランナーとハト目はＳ字管若しくは針金等で固定され、該ゴミ収容箱に被覆された該繊維網のゴミ収容箱背面壁端部は繊維網開閉時の起点として固定され、該繊維網が滑走自在に開閉することを特徴とする鳥獣被害対策ネットユニット。
【請求項２】
前記繊維網がゴミ収容箱の上面、前面を被覆した際、繊維網の弛みを防止するために、前記ゴミ収容箱両側面壁の前側上端部内側に横支持棒を両側面壁に渡すようにガイドレールの内側に設け、該繊維網の先端辺部に該繊維網により該ゴミ収容箱が閉じられた際に底面若しくは地面に着触するよう重りバーを設け、該ゴミ収容箱の前部の隙間の形成を防止すると同時に繊維網の開閉動作を簡易にしたことを特徴とする請求項１記載の鳥獣被害対策ネットユニット。
【請求項３】
既存するゴミ集積所に架設設置することが可能であることを特徴とする請求項１又は請求項２記載の鳥獣被害対策ネットユニット。
【発明の詳細な説明】
【０００１】
【発明の属する技術分野】
この発明は、集合住宅や一般住宅地のゴミ集積所に於いて、収集されたゴミをカラスや犬・猫などの被害から守ることを目的とした鳥獣被害対策ネットユニットに関する物である。
【０００２】
【従来の技術】
従来、アパートやマンション、公・私営住宅等のゴミ集積所に於いて、鳥獣によるゴミ散乱などの被害の対策として、例えば、ゴミ集積所をコンクリートブロックや鉄骨で三方を囲み、上面若しくは上面から手前に向けてネットを集積されたゴミ袋の上に掛け、カラスや猫からゴミを保護する方法が取られている。しかし現状は、ゴミの集積は多数の人々がそれぞれに集積所に持ち込むものであり、従ってネットも各々が思い思いに掛けて行き必ずしもゴミを保護しているとは言えない状況が殆どである。少しでもネットに隙間が生じると鳥獣からの被害は免れない。しかし、多数の人たち一人一人に完璧な作業を求めるのは不可能である。
【０００３】
【発明が解決しようとする課題】
鳥獣によるゴミ散乱の被害を防ぐ手段として、ネット対策以外にも例えば上蓋付きの矩形型の集積箱を使用したり、四方及び上面を金網などで部屋状に囲い任意の一辺にドアを設置している例もある。しかし、上記上蓋付きの集積箱はゴミを収集するための便宜上、上面全体が蓋状になっていることが多く、ゴミを出す度に行う大きく重い上蓋の開閉は極めて面倒な作業といえる。同じく、四方及び上面を金網などで部屋状に囲った集積所もゴミを出す毎にドアの開け閉めが伴い、またドアの内側付近にゴミ袋がかたまるという短所があり、収集側にとっても狭いドアからの収集作業は難儀である。大きな金網状の部屋を作るにはコストと場所の問題が生じる。
本発明は、これらの課題を解決するために、誰が開閉作業をしてもネットに隙間ができず、また、ネットの開け閉めが片手で軽々とできる鳥獣被害対策ネットユニットを提供する目的でなされたものである。
【０００４】
【課題を解決するための手段】
本発明は、上記課題を解決するための手段として以下の構成をなしている。本鳥獣被害対策ネットユニットは少なくとも左右各側面壁と背面壁とを有する矩形箱状に構成されている形状のゴミ収容箱に取付られる鳥獣被害対策ネットユニットであり、該ゴミ収容箱の開放上面と開放前面よりゴミの集積・収集を行うようになっている。両側面壁の上端部内側と前端部内側を走るように適宜数量の走行自在のランナーを有する１本のガイドレールをそれぞれ設ける。
【０００５】
該ゴミ収容箱上面と前面の面積に相当する大きさの繊維網の両端に前記ランナーと結合させるためのハト目を等間隔で適宜数量設け、前記ゴミ収容箱上面と前面を被覆するように繊維網を設置しそれぞれランナーとハトメをＳ字管若しくは針金等で固定する。ゴミ収容箱に被覆された繊維網のゴミ収容箱背面壁端部は繊維網開閉時の起点として固定される。
【０００６】
繊維網がゴミ収容箱の上面、前面を被覆した際、繊維網の弛みを防止するために、収容箱両側面壁の前側上端部内側に横支持棒を両側面壁に渡すように設ける。この横支持棒はガイドレールの内側に設置される。また、繊維網の先端辺部にバーを設ける。このバーは繊維網によりゴミ収容箱が閉じられた際に自然と底面若しくは地面に着触する位置と重さであり、該ゴミ収容箱の前部の隙間の形成を防止すると同時に繊維網の開閉動作を簡易にするものである。
【０００７】
当発明を取り付けるゴミ収容箱の外寸は、通常のゴミ集積所に準じたものであり、各々のゴミ集積所の立地条件等で柔軟に対応できるものである。また、ゴミ収容箱を構成する素材は、金網、鉄板、ブロック、コンクリートなど多岐に渡り応用可能である。
【０００８】
【発明の実施の形態】
図１〜図７は本発明の実施形態を示すものである。図１において、（１）が側面壁１，（２）が側面壁２，（３）が背面壁、（４）が底面壁であり、これら４方面壁で矩形箱状のゴミ収容箱本体（１０）を形成するとともに、そのゴミ収容箱本体（１０）の上部開放部と前部開放部とに開閉自在な繊維網（５）を設けて構成される鳥獣被害対策ネットユニットである。尚、この実施形態のゴミ収容箱は、設置されるゴミ集積所の条件等で適宜外寸を設計できるが、人が立位で片手操作できる大きさが望ましいことを考慮すると、幅１８０ｃｍ、高さ１２０ｃｍ、奥行き１００ｃｍ前後が適当である。
【０００９】
側面壁１（１）及び２（２）の素材は一枚の鉄板で構成されていてもよいが、集積状態を見易くするためや、ゴミ収容箱本体（１０）の重量を軽減するためにも四本の鉄のフレームを組み立てたものに繊維網又は金網を張設したものでもよい。本図では仮に鉄板を使用している実施例を示している。背面壁（３）の構成素材も側面壁（１，２）と同様であり、本図では仮に鉄板を使用している実施例を示している。底面壁（４）に至っては、ゴミ集積所の立地により有無での対応が可能である。例えば、ゴミ集積所の立地が平面なアスファルトやコンクリートである場合、本発明が実施されるゴミ収容箱本体（１０）の設置は側面壁（１，２）と、背面壁（３）の鉄板若しくは金属フレームの勘合により強固に成され、底面壁（４）の取付は省略が可能である。本図では仮に底面壁（４）に鉄板を使用している実施例を示している。
【００１０】
側面壁１（１）及び２（２）の上端部内側と前端部内側を走るように適宜数量の走行自在のランナー（１１）を有する１本のガイドレール（６）をそれぞれ設ける。ガイドレール（６）はカーテンレールそのものを使用することもできるが、ゴミ収容箱本体（１０）はその殆どが屋外設置であるため、劣化し難い素材、例えぱステンレス等が望ましい。側面壁（１，２）の上端角部はランナー（１１）に負荷がかからない程度のアールを形成しながら９０度の角度を設けて側面壁（１，２）の上端部内側と前端部内側に敷設されている。ランナー（１１）は後述する繊維網（５）に設けられるハト目（７）と少なくても同数である必要がある。
【００１１】
図２は、ガイドレール（６）の設置状態を示す側面壁内側の図である。図２に於いてガイドレール（６）のアール部内側に側面壁１（１）と２（２）を渡るように横支持棒（８）を設ける。横支持棒（８）は繊維網（５）がゴミ収容箱本体（１０）に被覆された時、繊維網（５）が弛緩しないように繊維網（５）を支持するもので、それによりゴミ収容箱本体（１０）のゴミ集積スペースが効率的に保持される。また美感を損なうこともない。横支持棒（８）の素材はステンレス等の耐錆タイプが好ましく、太さは繊維網（５）を支持するに足る太さでよい。
【００１２】
図３は、本発明のガイドレール（６）と繊維網（５）の結合部を示す斜視図である。繊維網（５）、いわゆるネットの素材は、猫やカラスの防御や風雨に晒されることを考慮すると、ポリエステル等の化学繊維で編まれたものが望ましい。ゴミ収容箱本体（１０）の開放上面と開放前面を被覆する大きさ、即ち、底面壁（４）と背面壁（３）を合わせたものと同等の面積を有する繊維網（５）の左右両辺に適宜数量のハト目（７）を設ける。ハト目（７）は繊維網（５）とランナー（１１）を結合させるためのＳ字管（１２）若しくは針金等を保持するためのもので、繊維網（５）の左右両辺に等間隔で圧入する。ゴミ収容箱本体（１０）に繊維網（５）が被覆された場合のハト目（７）間の弛みを無くすために、１０ｃｍ程度の間隔で圧入されるのが望ましい。
【００１３】
図４は、本発明の繊維網（５）の先端辺部に設けられた重りバー（９）を示す斜視図である。重りバー（９）は繊維網（５）が完全に被覆された時、繊維網（５）の先端辺部を地面若しくは底面に誘導し着触させるためのもので、ゴミ収容箱本体（１０）の前部の隙間の形成を防止する。更に重りバー（９）は、ハト目（７）とランナー（１１）により結合されガイドレール（６）を滑走する繊維網（５）の動きをスムーズにし、作業者による開閉動作を簡易にするものである。重りバー（９）は作業上、片手で操作されるに可能な重量でなければならず、素材としては軽量で耐久性のある樹脂（例えばＦＲＰ）等が望ましい。重りバー（９）は繊維網（５）の先端辺部に繊維網（５）で巻き込むように縫設されるが、重りバー（９）の繊維網（５）からの抜け防止のために重りバー（９）の両端にストッパー（１３）（ゴムキャップ等）を設ける。
【００１４】
以上のような構成によりなる本発明である鳥獣被害対策ネットユニットが取付られているゴミ収容箱は、既製品として、例えば大きさに於いて大・中・小のように予め企画品を設けることもできるが、設置場所の立地条件に応じた注文設計も可能である。外観塗色おいては予め塗色設定されていてもよいが、設置環境、住環境等に応じて対応できる方が望ましい。また、用途に応じた設置設定を工夫することもできる。図５は本発明が取付られているゴミ収容箱の並列設置の実施例を示すものである。
【００１５】
更に、本発明は既存するゴミ集積所に本発明を架設設置することが可能である。従来、特に公・私営団地などのゴミ集積所の多くはブロックにより左右側面及び背面壁を設けて施工されている。図６は本発明を既存ブロックゴミ集積所に架設する場合を示す斜視図である。図６において、ガイドレール（６）はブロック（１４）の側面の上端から前端にかけて内側に架設されている。そのアール部分の内側に横支持棒（８）を対側面ブロック壁に渡すように設ける。ガイドレール（６）及び横支持棒（８）はアンカーボルトにより固定される。以上のように架設設置された繊維網（５）は、前記鉄板や鉄製フレームを用いたゴミ収容箱と何ら性能的に変わるものではなく、むしろ材料費の面から安価にて実施できる。
【００１６】
また、既存のブロックゴミ集積所のブロック（１４）の高さが低く、集積されたゴミが山状に重なりブロック（１４）の丈を越えてしまうような場合や、ブロック（１４）そのものの破損等により、ガイドレール（６）や横支持棒（８）の設置が困難な場合は、図７に示すように既存のブロックゴミ集積所の両側面壁（１，２）の上に架設板（１５）及び架設フレーム（１６）を設け、補高及び補強を施し、その架設板（１５）及び架設フレーム（１６）に本発明を設置することができる。架設板（１５）と架設フレーム（１６）にアングルを溶接しホルダー（１７）を形成し、ブロック（１４）にアンカーボルトでホルダー（１７）を固定すればより堅硬で安全である。尚、上記要領にて補高したことで同時に該ブロックゴミ集積所の背面壁（３）上部に補高した丈幅分のスペースができるが、それは繊維網（５）を該背面壁（３）側に延長し上記スペースを被覆し該背面壁（３）後面で繊維網（５）の後端部を止めることにより、遮蔽される。
【００１７】
【発明の効果】
前記記載のように本発明は、何びとがネットの開閉操作作業を行っても、ゴミ集積所におけるカラスや猫・犬からの被害をほぼ完全な形で防止することができ、更に、軽量なゴミが風の強いときに飛散するということも防止するという効果がある。その開閉作業はいたって簡易でありお年寄りが片手で行うことも可能である。また、ゴミの収集時においては、収容箱の前面・上面を全く開放することができるのでゴミ収集作業も簡易であり、ゴミ集積所の清掃も簡易に行える。また更に、既存のゴミ集積所に架設設置できるという効果は経済的に利便が大きいばかりでなく、全国的規模で問題となっている既存のゴミ集積所における鳥獣による散乱被害の対策として、新たに設備を再構築することなく、迅速に対処できるという効果を得られる。
【図面の簡単な説明】
【図１】本発明の鳥獣被害対策ネットユニットが取付られているゴミ収容箱の正面斜視図である。
【図２】本発明のガイドレール設置状態を示す側面壁内側の斜視図である。
【図３】本発明のガイドレールと繊維網の結合部を示す斜視図である。
【図４】本発明の重りバーの取付状態を示す斜視図である。
【図５】本発明の並列設置を示す実施例である。
【図６】本発明の既存ブロックゴミ集積所に架設する場合を示す斜視図である。
【図７】本発明の既存ブロックゴミ集積所に補高、補強を施し架設する場合を示す斜視図である。
【符号の説明】
１．  側面壁１
２．  側面壁２
３．  背面壁
４．  底面壁
５．  繊維網
６．  ガイドレール
７．  ハト目
８．  横支持棒
９．  重りバー
１０．ゴミ収容箱本体
１１．ランナー
１２．Ｓ字管．
１３．ストッパー
１４．ブロック
１５．架設板
１６．架設フレーム
１７．ホルダー
１８．ゴミ袋
【図１】
0003726212.tif 000002
【図２】
0003726212.tif 000003
【図３】
0003726212.tif 000004
【図４】
0003726212.tif 000005
【図５】
0003726212.tif 000006
【図６】
0003726212.tif 000007
【図７】
0003726212.tif 000008